(57)【要約】【課題】近年急速に普及している携帯情報端末装置に着目し、利用者が気軽に利用できる栄養管理機能を携帯情報端末装置に搭載する。【解決手段】携帯情報端末装置１は、食品名とその食品に含まれる各種栄養素の情報とを関連付けて食品名ごとに記憶しているローカル食品データベース１１と、摂取する食品のカロリー値や栄養素値を摂取量として蓄積し記憶する摂取量記憶部１２と、摂取量に基づくアドバイス情報を記憶しているアドバイス情報記憶部１３と、摂取する食品名を入力するテンキー等からなるキー入力部１５と、種々の情報を表示するＴＦＴカラー液晶やＳＴＮカラー液晶等からなる表示部１６とを備えており、制御部１７は、キー入力部１５より入力された食品名に基づき、ローカル食品データベース１１から該当する食品名とその食品に含まれる各種栄養素の情報とを取得して表示部１６に表示する。【選択図】  図１
2004258755.tif 000002
【特許請求の範囲】
【請求項１】
携帯可能な情報端末装置において、
食品名とその食品に含まれる各種栄養素の情報とを関連付けて食品名ごとに記憶している食品情報記憶手段と、
摂取する食品名を入力する入力手段と、
種々の情報を表示する表示手段と、
前記入力手段より入力された食品名に基づき、前記記憶手段から該当する食品名とその食品に含まれる各種栄養素の情報とを取得して前記表示手段に表示する制御手段とを備えたことを特徴とする栄養管理機能付き携帯情報端末装置。
【請求項２】
摂取する食品を入力する際、前記制御手段は、前記入力手段により入力された文字をキーとして、その文字を含む食品名を前記食品情報記憶手段から検索し抽出して前記表示手段に表示し、前記入力手段により表示された食品名の中から１つの食品名が選択されることによって摂取する食品名を特定することを特徴とする請求項１に記載の栄養管理機能付き携帯情報端末装置。
【請求項３】
携帯可能な情報端末装置において、
食品名とその食品に含まれる各種栄養素の情報とを関連付けて食品名ごとに記憶している食品情報記憶手段と、
各種食品名を予め分類して記憶している食品名記憶手段と、
摂取する食品名を選択的に入力する入力手段と、
種々の情報を表示する表示手段と、
前記入力手段より選択的に入力された食品名に基づき、前記記憶手段から該当する食品名とその食品に含まれる各種栄養素の情報とを取得して前記表示手段に表示する制御手段とを備え、
摂取する食品を入力する際、前記制御手段は、前記食品名記憶手段に記憶されている食品の分類を前記表示手段に表示し、前記入力手段により表示された分類の中から１つの分類が選択されると、その分類に含まれる食品名を前記食品名記憶手段から取得して前記表示手段に表示し、前記入力手段により表示された食品名の中から１つの食品名が選択されることによって摂取する食品名を特定することを特徴とする栄養管理機能付き携帯情報端末装置。
【請求項４】
摂取する食品のカロリー値や栄養素値を摂取量として蓄積し記憶する摂取量記憶手段と、
摂取量に基づくアドバイス情報を記憶しているアドバイス情報記憶手段とをさらに備えており、
前記制御手段は、前記表示手段に食品名とその栄養素情報とを表示する際に、前記摂取量記憶手段に記憶されている摂取量に基づき、前記アドバイス情報記憶手段に記憶されている該当する摂取量のアドバイス情報を併せて表示することを特徴とする請求項１に記載の栄養管理機能付き携帯情報端末装置。
【請求項５】
請求項１ないし請求項４のいずれかに記載の栄養管理機能付き携帯情報端末装置と、食品名とその食品に含まれる各種栄養素の情報とを関連付けて食品名ごとに記憶している食品データベースを有するサーバ装置とが通信回線を介して接続された構成の栄養管理機能付き携帯情報端末システムであって、
前記携帯情報端末装置は、前記入力手段より入力された食品名に基づき、前記通信回線を介して前記サーバ装置の食品データベースから該当する食品名の栄養素情報を取得し、前記食品情報記憶手段に記憶することを特徴とする栄養管理機能付き携帯情報端末システム。
【発明の詳細な説明】
【０００１】
【発明の属する技術分野】
本発明は、栄養管理機能付き携帯情報端末装置及び携帯情報端末システムに関する。
【０００２】
【従来の技術】
医学的に栄養管理が特に必要な人、過食症や拒食症の患者などは健康管理が大事であり、栄養のバランスや摂取カロリーについての栄養管理は必須である。このような人たちはパソコン等の専用ソフトを用いて厳重な栄養管理を行う必要がある。しかし、気軽にダイエットをしたい人、最近太ってきたので食事に気を遣いたい人などがそのようなソフトを使用するのは非常に手間がかかる。
【０００３】
近年の情報技術の発展により、個人が携帯電話に代表される携帯情報端末装置を常に携帯していることが多くなった。従って、この携帯可能な情報端末装置を利用して気軽に栄養管理を行えれば便利である。このような観点から、料理名や材料名などの名称と、そのカロリー値及び各栄養値（例えば、炭水化物、タンパク質、ビタミン等）を記憶しておき、情報端末装置を利用して栄養管理を行う技術が種々考案されている。
【０００４】
例えば、携帯情報端末とバーコードリーダを用いて、食品の容器に記された栄養分析情報を読み取り、データベースを参照するという方法が提案されている（例えば、特許文献１参照）。しかしながら、この方法では常にバーコードリーダを携帯する必要がある上、食品会社と協力して容器に栄養情報を付加する必要があるといった、実現するには面倒な手順が要求される。また、栄養管理表に企業の広告が表示される、栄養情報から利用者へダイレクトメールを送付し適切な食品を提案するなど、利用者のほとんどにとっては広告やダイレクトメールが非常に迷惑なものであり、好ましくない。
【０００５】
また、利用者による選択方式によりネットワーク上に存在するデータベースへ通信し、食品情報を参照する方式も提案されている（例えば、特許文献２参照）。
【０００６】
【特許文献１】
特開２００２−２２２２６１号公報
【特許文献２】
特開２００２−３２４８７号公報
【０００７】
【発明が解決しようとする課題】
上記特許文献１の技術では、食品の容器にバーコードが記載されていることが条件であるため、レストラン等の外食時に利用することができない。食品にバーコードを付加させることから食品会社などの対応が不可欠である。バーコードを読みとるための装置（バーコードリーダ）が必ず必要となるため、利用者は常にバーコードリーダを携帯しておく必要がある、といった種々の問題があった。
【０００８】
また、上記特許文献２の技術では、利用者は利用するたびにネットワークを介してサーバに問い合わせを行う必要があるため、ネットワークにトラフィックでの負荷が生じる。また、利用するたびに通信料が発生してしまい、利用者はそのたびに通信料金を支払う必要が生じるといった問題があった。
【０００９】
本発明はかかる問題点を解決すべく創案されたもので、その目的は、近年急速に普及している携帯情報端末装置に着目し、利用者が気軽に利用できる栄養管理機能を搭載した携帯情報端末装置及び携帯情報端末システムを提供することにある。
【００１０】
【課題を解決するための手段】
本発明の栄養管理機能付き携帯情報端末装置は、携帯可能な情報端末装置において、食品名とその食品に含まれる各種栄養素の情報とを関連付けて食品名ごとに記憶している食品情報記憶手段と、摂取する食品名を入力する入力手段と、種々の情報を表示する表示手段と、前記入力手段より入力された食品名に基づき、前記記憶手段から該当する食品名とその食品に含まれる各種栄養素の情報とを取得して前記表示手段に表示する制御手段とを備えたことを特徴とする。
【００１１】
このような特徴を有する本発明によれば、携帯情報端末装置を利用して、気軽にかつ迅速に自己の栄養管理を行うことができる。また、携帯情報端末装置を利用しているので、外出先でも利用することができる上、本人に食品に関する専門的知識がなくても栄養管理を行うことができる。
【００１２】
この場合、摂取する食品を入力する際、前記制御手段は、前記入力手段により入力された文字をキーとして、その文字を含む食品名を前記食品情報記憶手段から検索し抽出して前記表示手段に表示し、前記入力手段により表示された食品名の中から１つの食品名が選択されることによって摂取する食品名を特定するようにしてもよい。これにより、利用者は、食品名を直接入力しなくても、所望する食品名を調べることができる。
【００１３】
また、本発明の栄養管理機能付き携帯情報端末装置は、携帯可能な情報端末装置において、食品名とその食品に含まれる各種栄養素の情報とを関連付けて食品名ごとに記憶している食品情報記憶手段と、各種食品名を予め分類して記憶している食品名記憶手段と、摂取する食品名を選択的に入力する入力手段と、種々の情報を表示する表示手段と、前記入力手段より選択的に入力された食品名に基づき、前記記憶手段から該当する食品名とその食品に含まれる各種栄養素の情報とを取得して前記表示手段に表示する制御手段とを備え、摂取する食品を入力する際、前記制御手段は、前記食品名記憶手段に記憶されている食品の分類を前記表示手段に表示し、前記入力手段により表示された分類の中から１つの分類が選択されると、その分類に含まれる食品名を前記食品名記憶手段から取得して前記表示手段に表示し、前記入力手段により表示された食品名の中から１つの食品名が選択されることによって摂取する食品名を特定することを特徴とする。
【００１４】
このような特徴を有する本発明によれば、利用者は、表示手段に表示された食品の分類（例えば、煮物、炒め物、めん・ごはん類等といった食物の調理方法や種類に関連した分類や、和食、中華、洋食、イタリアン等の国別の分類や、ファーストフードのような店名による分類など）から、最終的に所望する食品を選択的に決定することができるので、本人に食品に関する専門的な知識がなくても、所望する食品を簡単に調べることができる。
【００１５】
また、本発明によれば、摂取する食品のカロリー値や栄養素値を摂取量として蓄積し記憶する摂取量記憶手段と、摂取量に基づくアドバイス情報を記憶しているアドバイス情報記憶手段とをさらに備えており、前記制御手段は、前記表示手段に食品名とその栄養素情報とを表示する際に、前記摂取量記憶手段に記憶されている摂取量に基づき、前記アドバイス情報記憶手段に記憶されている該当する摂取量のアドバイス情報を併せて表示するようにしてもよい。
【００１６】
このように、摂取する食品のカロリー値や栄養素値の表示に併せてアドバイス情報も表示することで、本人に食品の栄養素に関する専門的知識がなくても、栄養管理をより的確に行うことができる。
【００１７】
また、本発明の栄養管理機能付き携帯情報端末システムは、上記構成の栄養管理機能付き携帯情報端末装置と、食品名とその食品に含まれる各種栄養素の情報とを関連付けて食品名ごとに記憶している食品データベースを有するサーバ装置とが通信回線を介して接続された構成であって、前記携帯情報端末装置は、前記入力手段より入力された食品名に基づき、前記通信回線を介して前記サーバ装置の食品データベースから該当する食品名の栄養素情報を取得し、前記食品情報記憶手段に記憶することを特徴とする。
【００１８】
携帯情報端末装置に格納されている食品情報記憶手段のメモリ容量には限りがある。そのため、食品情報記憶手段には予め限られた量の食品情報を記憶しておく。これに対し、サーバ装置の食品データベースには、ありとあらゆる食品に関する栄養素情報を記憶しておく。これにより、利用者は、食品名を入力または選択する場合に、自己の食品情報記憶手段に記憶されていない食品が含まれている場合には、その食品に関する栄養素情報を例えばインターネット等の通信回線を介してサーバ装置の食品データベースから取得し、自己の食品情報記憶手段に追加記憶若しくは上書きで記憶する。これにより、必要な食品情報を必要なときに取得することができる。
【００１９】
【発明の実施形態】
以下、本発明の実施の形態について、図面を参照して説明する。
本発明の栄養管理機能付き携帯情報端末装置及び携帯情報端末システムの特徴は、利用者が携帯情報端末装置を使用して予め記録されている食品名から１つの食品名を選択し、同端末装置内に記録された食品の情報に関するデータベースを利用して栄養管理を行うことにある。以下、具体的に説明する。
【００２０】
図１及び２は、本発明の栄養管理機能付き携帯情報端末システムの全体構成を示しており、図１は機能ブロック図、図２は外観イメージ図である。
【００２１】
このシステムは、栄養管理機能を有する携帯情報端末装置１と、マスター食品データベース３１を有するサーバ装置３とが、インターネット等の通信回線Ｎを介して接続された構成となっている。
【００２２】
携帯情報端末装置１は、食品名とその食品に含まれる各種栄養素の情報とを関連付けて食品名ごとに記憶しているローカル食品データベース１１と、摂取する食品のカロリー値や栄養素値を摂取量として蓄積し記憶する摂取量記憶部１２と、摂取量に基づくアドバイス情報を記憶しているアドバイス情報記憶部１３と、摂取する食品名を入力するテンキー等からなるキー入力部１５と、種々の情報を表示するＴＦＴカラー液晶やＳＴＮカラー液晶等からなる表示部１６と、キー入力部１５より入力された食品名に基づき、ローカル食品データベース１１から該当する食品名とその食品に含まれる各種栄養素の情報とを取得して表示部１６に表示する制御部１７と、通信回線Ｎに接続してサーバ装置３との間でデータの送受信を行う送受信部１８とからなる。また、ローカル食品データベース１１には、各食品がどんなジャンルに属するかという分類情報も付加されており、後述する食品の選択時に利用される。すなわち、請求項に記載の食品名記憶手段は、本実施形態ではローカル食品データベース１１に含まれている。
【００２３】
上記構成の携帯情報端末装置１は携帯可能な小さな端末であり、例えば携帯電話機、ＰＤＡ、電子手帳、小型ノートパソコン等である。
【００２４】
上記構成において、制御部１７は、キー入力部１５より選択的に入力された食品名に基づき、ローカル食品データベース１１から該当する食品名とその食品に含まれる各種栄養素の情報とを取得して表示部１６に表示する制御を行う。
【００２５】
また、制御部１７は、摂取する食品を入力する際、ローカル食品データベース１１に記憶されている食品の分類（ジャンル）を表示部１６に表示し、キー入力部１５により表示されたジャンルの中から１つのジャンルが選択されると、そのジャンルに含まれる食品名を食品名記憶部１２から取得して表示部１６に表示し、キー入力部１５により表示された食品名の中から１つの食品名が選択されることによって、摂取する食品名を決定する制御も行うようになっている。
【００２６】
さらに、制御部１７は、表示部１６に食品名とその栄養素情報とを表示する際に、摂取量記憶部１３に記憶されている摂取量に基づき、アドバイス情報記憶部１４に記憶されている該当する摂取量のアドバイス情報を併せて表示する制御も行うようになっている。
【００２７】
ここでいう食品とは、食品の原材料から加工食品までを含む。また、栄養素とは、糖質、炭水化物、タンパク質、脂質、ナトリウム、ビタミン、ミネラル（塩分、カルシウム、鉄分など）、食物繊維、及びそれらのその時の量（何人前、何個、何グラムか）などである。ローカル食品データベース１１には、これら食品名と上記の各種栄養素の情報とが関連付けられて記録されている。また、食品名は漢字だけでなく読み仮名の情報も備えておき、検索時に利用する。
【００２８】
また、食品データベースは、携帯情報端末装置１とインターネット上のサーバ装置３の双方に設けられている。携帯情報端末装置１のメモリ容量には限りがあるため、ローカル食品データベース１１には予め限られた量の情報を記録しておき、必要に応じてデータを圧縮する。また、サーバ装置１上のマスター食品データベース３１は、携帯情報端末装置１上のローカル食品データベース１１とは異なり、利用者がありとあらゆる食品の情報を利用可能なように、膨大な数の食品情報が記録されている。
【００２９】
図３は、食品データベースのデータ構成例を示しており、携帯情報端末装置１上のローカル食品データベース１１及びサーバ装置３上のマスター食品データベース３１の双方に共通の構成である。
【００３０】
この食品データベースは、食品名、ジャンル、カロリー及び栄養素の各項目からなり、栄養素の項目はさらに、糖質、炭水化物、タンパク質、脂質、ナトリウム、ビタミン、ミネラル、食物繊維等の各項目からなる。また、ビタミンの項目はさらに、ビタミンＡ、ビタミンＢ、ビタミンＣなどの各項目からなり、ミネラルの項目はさらに、塩分、カルシウム、鉄分などの項目からなる。この例では、食品１００ｇ当りの各栄養素の含有量が格納されている。また、ジャンルには、例えば、煮物、炒め物、めん・ごはん類等といった食物の調理方法や種類に関連した分類情報や、和食、中華、洋食、イタリアン等の国別の分類情報や、ファーストフードのような店名による分類情報などが格納されている。
【００３１】
図４は、アドバイス情報記憶部１３のデータ構成例を示している。
【００３２】
アドバイス情報は、パターン１、パターン２、・・・といった具合に、予め複数パターンが用意されており、入力された１日の摂取量（すなわち、摂取量記憶部１２に記憶されている摂取量）に基づいていずれかのパターンが選択されるようになっている。この選択処理は制御部１７で実行される。
【００３３】
次に、上記構成の栄養管理機能付き携帯情報端末システムにおける栄養管理処理の流れについて、図５に示す説明図及び図６に示すフローチャートを参照して説明する。
【００３４】
ある食物の情報を知りたい場合、利用者は、まず食品名を入力する（ステップＳ１）。このときの入力方法は、図５（ａ），（ｂ）に示すように、分類された食品から選択する方法と、同図（ｃ），（ｄ）に示すように、食品名による選択方法とがある。
【００３５】
図５（ａ），（ｂ）は、図３に示すローカル食品データベース１１のジャンルの項目に記録された食品のジャンル情報により分類された情報の表示例を示しており、同図（ａ）は、食物の調理方法や種類によって分類された例、同図（ｂ）は、和食、中華、洋食、イタリアン等の国別や、ファーストフードのような店名によって分類された例を示している。
【００３６】
利用者は、この中から該当するジャンルを選択する。この場合、利用者は、該当するジャンルを選択するために、携帯情報端末装置１に備えられた図示しない矢印キー等を使用する。これにより、図示は省略しているが、表示部１６にはそのジャンルに含まれる食品名が一覧表示されるので、利用者は、この一覧表示の中から、調べたい食品を選択する。この場合も利用者は、該当する食品を選択するために、携帯情報端末装置１に備えられた図示しない矢印キー等を使用する。
【００３７】
また、図５（ｃ）は、食品名そのものの名称から検索する方法の例を示している。この場合は、ローカル食品データベース１１に記録されている食品名の情報を利用する。すなわち、利用者は、携帯情報端末装置１のキー入力部１５に備えられた文字入力の機能を使用し、食品名を入力していく。このときの検索は前方一致検索で行われ、ローカル食品データベース１１に記録された食品名の読み仮名の情報を利用する。例えば、利用者が図５（ｃ）に示す「あかさたな・・・」の各行から「ひ」を入力した段階で、「ひ」から始まる食品が表示される。次いで利用者が、「ひ」の次に「や」を入力したとすると、図５（ｄ）に示すように、前もって表示されたものの中から、「ひや」に該当するものが選び出される。利用者はこのようにして食品名を選択する。
【００３８】
キー入力部１５より入力された情報は制御部１７に渡される。これにより高速な検索が可能であり、利用者はすぐに該当する食品の情報にたどりつくことができる。
【００３９】
制御部１７は、内蔵のローカル食品データベース１１から該当する食品を検索する（ステップＳ２）。その結果、利用者が求める食品のデータがローカル食品データベース１１に含まれている場合（ステップＳ３でＹｅｓと判断された場合）には、制御部１７はその検索結果を表示部１６に表示する（ステップＳ４）。このとき、ローカル食品データベース１１に記録されている食品名、各種栄養素の情報及びその時の量（何人前か、何グラム、何個であるかなど）を、図５（ｅ）に示すように表示することができる。
【００４０】
その後、利用者はその食品の情報を１日の摂取食品として記録するかどうかを選択する（ステップＳ５）。そして、利用者によって「記録」が選択された場合には、制御部１７はそのときの情報を摂取量記憶部１２に記録し、１日の摂取量を表示する（ステップＳ６）。
【００４１】
摂取量記憶部１２は、利用者によって「記録」が選択されるたびに、１日の摂取量を各栄養素ごとに加算記録している。この摂取量情報は、利用者に１日の栄養バランスのアドバイス情報を提供する際に利用される。この場合、予め利用者の情報、例えば男性か女性か、少しダイエットしたいか等の条件を入力しておけば、この情報を元にアドバイス情報記憶部１３から該当するパターンのメッセージを選択し、表示部１６に表示することができる。すなわち、このときのアドバイスは、予め利用者が入力した情報を元に判断し、「カロリーを摂取しすぎている」、「カルシウムが足りない」などの情報を表示することができる。図５（ｆ）は、アドバイス情報の表示例を示している。
【００４２】
一方、ステップＳ３において、ローカル食品データベース１１を検索した結果、該当する食品が見つからない場合（ステップＳ３でＮｏと判断された場合）、制御部１７はその旨を表示部１６に表示する。このとき、利用者に対しネットワークＮを通じてローカル食品データベース１１の内容を更新するかどうかを確認する（ステップＳ７）。
【００４３】
その結果、利用者がデータベースの更新に同意すれば（ステップＳ７でＹｅｓと判断されれば）、ネットワークＮ上に存在するサーバ装置３のマスター食品データベース３１から情報を取得してローカル食品データベース１１を更新する（ステップＳ８）。取得した食品の情報は、ローカル食品データベース１１の容量が許す限りはローカル食品データベース１１に統合（追加記録）される。
【００４４】
一方、ステップＳ７において、利用者がデータベースの更新に同意しない場合（Ｎｏと判断された場合）は、該当する食品が見つからないことになり、食品情報を得ることが出来ない。そのため、この場合は利用者自らによるマニュアル入力を行うことができる（ステップＳ９）。マニュアル入力により、カロリー値やその他栄養素の値を、携帯情報端末装置１のキー入力部１５を用いて入力することができる。
【００４５】
図５（ｇ），（ｈ）は、マニュアル入力の例を示している。マニュアル入力では、栄養素は予め決められたものから選択することで決めるようになっている。その値は、携帯情報端末装置１のキー入力部１５による入力で行う。単位（ｇ／ｍｇなど）は携帯情報端末装置１のキー入力部１５により選択することになる。
【００４６】
なお、１日の摂取量を記録している摂取量記憶部１２は、携帯情報端末装置１に内蔵の図示しない時計を参照し、日付が変われば自動的にリセットされるように設定しておく。これは、利用者がこの携帯情報端末装置１を起動したときに時計を参照し、処理が行われる。
【００４７】
以上説明したように、本発明の栄養管理機能付き携帯情報端末装置及び携帯情報端末システムによれば、気軽にかつ迅速に栄養管理を行うことができ、利用者の情報から的確なアドバイスを与えることができる。また、携帯情報端末装置を利用するので、外出先でも利用することができる上に、利用者本人が専門的知識を必要とすることなく栄養管理、カロリー管理を行うことができる。従って、糖尿病の患者や高血圧気味な人、過食症、拒食症の人、ダイエットの希望者、健康に気がかりな人などが個人で気軽に栄養管理を行うことができる。また、さらには食品の情報と利用者の情報を人間のものに限らず、犬や猫などの情報に対応させることで、ペットの栄養管理も行うことができる。さらにまた、利用者に料金が発生するのは、ローカル食品データベース１１に該当する食品が無い場合であってかつ利用者がネットワークＮ上のサーバ装置３と通信するのを許可した場合に限られるので、利用者にとっては経済的にも利用し易い装置及びシステムとなっている。
【００４８】
【発明の効果】
本発明によれば、携帯情報端末装置を利用して、気軽にかつ迅速に自己の栄養管理を行うことができる。また、携帯情報端末装置を利用しているので、外出先でも利用することができる上、本人に食品に関する専門的知識がなくても栄養管理を行うことができる。
【００４９】
また、本発明によれば、摂取する食品のカロリー値や栄養素値を摂取量として蓄積し記憶する摂取量記憶手段と、摂取量に基づくアドバイス情報を記憶しているアドバイス情報記憶手段とをさらに備えており、前記制御手段は、前記表示手段に食品名とその栄養素情報とを表示する際に、前記摂取量記憶手段に記憶されている摂取量に基づき、前記アドバイス情報記憶手段に記憶されている該当する摂取量のアドバイス情報を併せて表示するようにしてもよい。
【００５０】
このように、摂取する食品のカロリー値や栄養素値の表示に併せてアドバイス情報も表示することで、本人に食品の栄養素に関する専門的知識がなくても、栄養管理をより的確に行うことができる。
【００５１】
また、本発明によれば、食品名を入力または選択する場合に、自己の食品情報記憶手段に記憶されていない食品が含まれている場合には、その食品に関する栄養素情報を通信回線を介してサーバ装置の食品データベースから取得し、自己の食品情報記憶手段に追加記憶若しくは上書きで記憶することができるので、必要な食品情報を必要なときに取得することができる。
【図面の簡単な説明】
【図１】本発明の栄養管理機能付き携帯情報端末システムの全体構成を示す機能ブロック図である。
【図２】本発明の栄養管理機能付き携帯情報端末システムの全体構成を示す外観イメージ図である。
【図３】食品データベースのデータ構成例を示す説明図である。
【図４】アドバイス情報のデータ構成例を示す説明図である。
【図５】（ａ）〜（ｈ）は、本発明の栄養管理機能付き携帯情報端末システムによる栄養管理処理での表示部の画面表示例を示す説明図である。
【図６】本発明の栄養管理機能付き携帯情報端末システムによる栄養管理処理の流れを示すフローチャートである。
【符号の説明】
１  携帯情報端末装置
３  サーバ装置
１１  ローカル食品データベース
１２  摂取量記憶部
１３  アドバイス情報記憶部
１５  キー入力部
１６  表示部
１７  制御部
１８  送受信部
３１  マスター食品データベース
Ｎ  通信回線（インターネット）
【図１】
2004258755.tif 000003
【図２】
2004258755.tif 000004
【図３】
2004258755.tif 000005
【図４】
2004258755.tif 000006
【図５】
2004258755.tif 000007
【図６】
2004258755.tif 000008